(57)【要約】【課題】隔て板の設置作業について工数低減を図ることができる隔て板の設置構造を提供する。【解決手段】集合住宅は、複数の住戸と、それら複数の住戸の屋外側において連続して設けられるバルコニー２０とを備える。バルコニー２０には、上下に対向するバルコニー床部３１とバルコニー天井部３２とが設けられている。また、バルコニー２０には、各住戸間の境界部に隔て板２６が設置されている。隔て板２６は、その下端部がバルコニー床部３１に下側取付具６５を介して固定され、その上端部がバルコニー天井部３２に上側取付金物７５を介して固定されることで設置されている。【選択図】      図２
2019183517.tif 000002
【特許請求の範囲】
【請求項１】
横並びに設けられた複数の住戸と、それら各住戸の屋外側において連続して設けられたバルコニーとを備える集合住宅に適用され、
前記バルコニーには、各住戸間の境界部に隔て板が設置されている隔て板の設置構造であって、
前記バルコニーには、上下に対向する床部と天井部とが設けられ、
前記隔て板は、その下端部が前記床部に固定され、その上端部が前記天井部に固定されることで設置されていることを特徴とする隔て板の設置構造。
【請求項２】
前記隔て板は、その下端部が下側取付具を介して前記床部に固定され、その上端部が上側取付具を介して前記天井部に固定され、
前記下側取付具と前記上側取付具とはそれぞれ１つだけ設けられていることを特徴とする請求項１に記載の隔て板の設置構造。
【請求項３】
前記下側取付具は、前記隔て板の下端部が挿し入れられる溝部を有し、
前記隔て板は、その下端部が前記溝部に挿し入れられた状態で前記下側取付具に固定されていることを特徴とする請求項２に記載の隔て板の設置構造。
【請求項４】
前記隔て板の幅方向の両側には前記バルコニーの手摺部と外壁部とが設けられており、
前記下側取付具は、前記隔て板の下端部が取り付けられる下側取付金物を有し、
前記上側取付具は、前記隔て板の上端部が取り付けられる上側取付金物を有し、
前記下側取付金物及び前記上側取付金物はいずれも前記隔て板においてその幅方向の中央部を含む位置であって、かつ前記外壁部寄りの位置に配置されていることを特徴とする請求項２又は３に記載の隔て板の設置構造。
【請求項５】
前記天井部には、天井面材と、その天井面材を上方から支持するとともに前記隔て板の厚み方向に延びる複数の野縁とが設けられ、
前記複数の野縁には、互いに近接させて配置された一対の近接野縁が含まれており、
前記上側取付具は、前記天井面材の下面において前記各近接野縁に跨がるように配置され、それら各近接野縁に前記天井面材を介して固定されていることを特徴とする請求項２乃至４のいずれか一項に記載の隔て板の設置構造。
【請求項６】
前記床部には、前記隔て板に沿って延びる床梁が設けられ、
前記天井部には、前記隔て板に沿って延びる天井梁が設けられ、
前記隔て板は、その下端部が前記床梁に固定され、その上端部が前記天井梁に固定されていることを特徴とする請求項１乃至５のいずれか一項に記載の隔て板の設置構造。
【請求項７】
前記隔て板の幅方向において当該隔て板を挟んで両側に設けられる各壁材のうち少なくともいずれかがＡＬＣからなることを特徴とする請求項１乃至６のいずれか一項に記載の隔て板の設置構造。
【発明の詳細な説明】
【技術分野】
【０００１】
本発明は、複数の住戸と、それら各住戸の屋外側に連続して設けられるバルコニーとを備える集合住宅に適用されるものであって、バルコニーにおいて各住戸間の境界部に設置される隔て板の設置構造に関するものである。
【背景技術】
【０００２】
複数の住戸を備える集合住宅では、各住戸の屋外側にそれら住戸に跨がって連続するバルコニーが設けられている場合がある。かかる集合住宅では、バルコニーにおいて各住戸間の境界部に隔て板が設けられる（例えば特許文献１参照）。隔て板は、互いに対向する外壁部と手摺り部とに跨がるようにして設置される。この場合、隔て板は、幅方向の両端部がそれぞれ手摺り部と外壁部とに固定されることで設置されるのが一般である。
【先行技術文献】
【特許文献】
【０００３】
【特許文献１】特開２０１０−１８６２４４号公報
【発明の概要】
【発明が解決しようとする課題】
【０００４】
ところで、隔て板は上下方向に長い長方形状をなしているため、隔て板を幅方向の両端部で手摺り部と外壁部とに安定した状態で固定するには、隔て板を手摺り部と外壁部とにそれぞれ上下複数箇所で固定する必要がある。しかしながら、その場合、固定箇所が多くなって、隔て板の設置作業について工数の増大を招くおそれがある。
【０００５】
本発明は、上記事情に鑑みてなされたものであり、隔て板の設置作業について工数低減を図ることができる隔て板の設置構造を提供することを主たる目的とするものである。
【課題を解決するための手段】
【０００６】
上記課題を解決すべく、第１の発明の隔て板の設置構造は、横並びに設けられた複数の住戸と、それら各住戸の屋外側において連続して設けられたバルコニーとを備える集合住宅に適用され、前記バルコニーには、各住戸間の境界部に隔て板が設置されている隔て板の設置構造であって、前記バルコニーには、上下に対向する床部と天井部とが設けられ、前記隔て板は、その下端部が前記床部に固定され、その上端部が前記天井部に固定されることで設置されていることを特徴とする。
【０００７】
本発明によれば、集合住宅のバルコニーにおいて各住戸間の境界部に隔て板が設けられ、その隔て板が、その下端部においてバルコニーの床部に固定され、その上端部においてバルコニーの天井部に固定されることで設置されている。この場合、隔て板が上下の端部でそれぞれ固定されるため、固定箇所を少なくしても安定した状態で隔て板を設置することが可能となる。これにより、隔て板の設置作業について工数低減を図ることが可能となる。
【０００８】
なお、この場合、「隔て板の下端部が床部に固定され」とは、隔て板の下端部が床部に対して直接固定される場合だけでなく、隔て板の下端部が床部に対して別の部材を介して固定される場合をも含む意味である。また、これと同様に、「隔て板の上端部が天井部に固定され」についても、隔て板の上端部が天井部に別の部材を介して固定される場合をも含む意味である。
【０００９】
第２の発明の隔て板の設置構造は、第１の発明において、前記隔て板は、その下端部が下側取付具を介して前記床部に固定され、その上端部が上側取付具を介して前記天井部に固定され、前記下側取付具と前記上側取付具とはそれぞれ１つだけ設けられていることを特徴とする。
【００１０】
本発明によれば、隔て板の下端部が下側取付具を介してバルコニーの床部に固定され、隔て板の上端部が上側取付具を介してバルコニーの天井部に固定されている。また、かかる構成にあって、下側取付具及び上側取付具はそれぞれ１つだけ設けられている。この場合、隔て板が各取付具を介して床部及び天井部に固定される構成にあって、取付具の固定箇所及び隔て板の固定箇所を少なくすることができるため、隔て板の設置作業について工数低減を図ることができる。また、各取付具が１つずつしか設けられていないものの、隔て板の上下端部で固定される構成となっているため、隔て板を安定した状態で設置することができる。
【００１１】
第３の発明の隔て板の設置構造は、第２の発明において、前記下側取付具は、前記隔て板の下端部が挿し入れられる溝部を有し、前記隔て板は、その下端部が前記溝部に挿し入れられた状態で前記下側取付具に固定されていることを特徴とする。
【００１２】
本発明によれば、隔て板を設置する際、まず下側取付具を床部側に固定しておき、その下側取付具の溝部に隔て板の下端部を挿し入れることで隔て板の厚み方向への位置決めを行うことができる。また、かかる位置決め状態で隔て板の幅方向の位置調整を行うことができるため、かかる位置調整について容易に行うこともできる。これにより、隔て板の設置作業を容易にすることが可能となる。
【００１３】
第４の発明の隔て板の設置構造は、第２又は第３の発明において、前記隔て板の幅方向の両側には前記バルコニーの手摺部と外壁部とが設けられており、前記下側取付具は、前記隔て板の下端部が取り付けられる下側取付金物を有し、前記上側取付具は、前記隔て板の上端部が取り付けられる上側取付金物を有し、前記下側取付金物及び前記上側取付金物はいずれも前記隔て板においてその幅方向の中央部を含む位置であって、かつ前記外壁部寄りの位置に配置されていることを特徴とする。
【００１４】
本発明によれば、下側取付金物及び上側取付金物がいずれも隔て板における幅方向の中央部を含む位置に配置されているため、上下にそれぞれ１つだけ取付金物が設けられる構成にあって、それら各取付金物に隔て板を安定した状態で取り付けることができる。
【００１５】
ここで、バルコニーには外壁部に沿って風が流れることが想定され、その場合、その風は外壁部近くで強くなることが想定される。その点本発明では、各取付金物が隔て板において外壁部寄りに配置されているため、隔て板が上記の風を受けた場合において、その風に対する抵抗力を高めることができる。この場合、例えば隔て板が上記の風を受けて各取付金物を軸として回転してしまうといった事態が生じるのを抑制することができる。そのため、隔て板をより安定した状態で設置することが可能となる。
【００１６】
第５の発明の隔て板の設置構造は、第２乃至第４のいずれかの発明において、前記天井部には、天井面材と、その天井面材を上方から支持するとともに前記隔て板の厚み方向に延びる複数の野縁とが設けられ、前記複数の野縁には、互いに近接させて配置された一対の近接野縁が含まれており、前記上側取付具は、前記天井面材の下面において前記各近接野縁に跨がるように配置され、それら各近接野縁に前記天井面材を介して固定されていることを特徴とする。
【００１７】
本発明によれば、天井面材を支持する複数の野縁に互いに近接配置された一対の近接野縁が含まれ、それら各近接野縁に天井面材を介して上側取付具が固定されている。この場合、天井面材の下地である野縁を利用して上側取付具を固定することができる。そのため、上側取付具を固定するための固定下地を別途設ける必要がなく、構成の簡素化等を図りながら上側取付具を天井部に取り付けることができる。
【００１８】
第６の発明の隔て板の設置構造は、第１乃至第５のいずれかの発明において、前記床部には、前記隔て板に沿って延びる床梁が設けられ、前記天井部には、前記隔て板に沿って延びる天井梁が設けられ、前記隔て板は、その下端部が前記床梁に固定され、その上端部が前記天井梁に固定されていることを特徴とする。
【００１９】
本発明によれば、隔て板の下端部が床梁に固定され、隔て板の上端部が天井梁に固定されている。この場合、隔て板が、建物躯体の一部を構成する床梁及び天井梁に固定されているため、隔て板を安定した状態で設置することができる。
【００２０】
第７の発明の隔て板の設置構造は、第１乃至第６のいずれかの発明において、前記隔て板の幅方向において当該隔て板を挟んで両側に設けられる各壁材のうち少なくともいずれかがＡＬＣからなることを特徴とする。
【００２１】
ところで、ＡＬＣ（軽量気泡コンクリート）からなる壁材は、耐火性能等に優れる反面、比較的脆い性質を有している。そのため、隔て板を挟んだ両側の壁材のうち少なくともいずれかがＡＬＣからなる場合に、隔て板をそのＡＬＣ製の壁材に固定すると、壁材に割れが生じる等、破損するおそれがある。その点本発明では、隔て板を壁材ではなく床部及び天井部に固定するようにしているため、ＡＬＣ製の壁材が用いられる場合でも、壁材に破損が生じるのを回避しつつ隔て板を設置することが可能となる。
【図面の簡単な説明】
【００２２】
【図１】集合住宅の一階部分を示す平面図。
【図２】バルコニー周辺の構成を示す縦断面図。
【図３】バルコニー床部に対する隔て板の固定構成を示す縦断面図。
【図４】支柱部及び取付プレートの構成を示す分解斜視図。
【図５】下側取付金物に隔て板が取り付けられる様子を示す斜視図。
【図６】バルコニー天井部に対する隔て板の固定構成を示す縦断面図。
【図７】上側取付金物に隔て板が取り付けられる様子を示す斜視図。
【図８】上側取付金物の別形態を示す図。
【図９】下側取付金物の別形態を示す図。
【発明を実施するための形態】
【００２３】
以下に、本発明を具体化した一実施の形態について図面を参照しつつ説明する。本実施形態では、複数の住戸を有する集合住宅について具体化している。集合住宅は、一階部分と二階部分とを有する二階建てのアパートとされている。図１は、その集合住宅の一階部分を示す平面図となっている。
【００２４】
図１に示すように、集合住宅１０は、複数の住戸１１と、それら各住戸１１に通じる共用部１２とを備える。住戸１１は、一階部分及び二階部分において横並びに複数（具体的には３つ）ずつ設けられている。共用部１２は、一階部分及び二階部分にそれぞれ設けられた共用廊下１３と、一階部分及び二階部分の各共用廊下１３を連絡する共用階段１４とを有する。
【００２５】
共用廊下１３は、各住戸１１の並ぶ方向に延びており、それら各住戸１１にそれぞれ通じている。各住戸１１にはそれぞれ玄関口１７が設けられている。この玄関口１７を通じて共用廊下１３から住戸１１内へ出入りすることが可能となっている。また、玄関口１７には、玄関扉１８が設けられている。
【００２６】
一階部分には共用出入口１５が設けられている。この共用出入口１５を通じて屋外から共用部１２（一階部分の共用廊下１３）に出入りすることが可能となっている。また、共用出入口１５には、共用扉１６が設けられている。
【００２７】
一階部分及び二階部分において、各住戸１１の屋外側にはバルコニー２０が連続して設けられている。バルコニー２０は、共用廊下１３とは反対側に設けられている。バルコニー２０は、各住戸１１の住戸内空間１１ａ（屋内空間）と外壁部２１により仕切られている。外壁部２１には、住戸内空間１１ａからバルコニー２０への出入りを可能とする出入口２２が設けられている。この出入口２２にはガラス戸２３が設けられている。また、バルコニー２０には、外壁部２１と対向する位置に腰壁部２４が設けられている。この腰壁部２４が手摺部に相当する。
【００２８】
バルコニー２０には、各住戸１１間の境界部に隔て板２６が設けられている。隔て板２６は、外壁部２１と腰壁部２４とに跨がるようにして設けられている。この隔て板２６によりバルコニー２０が各住戸１１ごとに区画されている。
【００２９】
続いて、バルコニー２０周辺の構成について図２に基づいて説明する。図２は、バルコニー２０周辺の構成を示す縦断面図である。なお、図２は、バルコニー２０周辺を隔て板２６と平行な面で切断した断面図となっている。また、図２では、二階部分におけるバルコニー２０周辺の構成を示している。
【００３０】
図２に示すように、バルコニー２０には、バルコニー床部３１と、そのバルコニー床部３１と上下に対向するバルコニー天井部３２とが設けられている。バルコニー床部３１は、複数のバルコニー床梁３３〜３５を備えている。これらバルコニー床梁３３〜３５には、外壁部２１の下方で外壁部２１に沿って延びるバルコニー床梁３３と、腰壁部２４の下方で腰壁部２４に沿って延びるバルコニー床梁３４と、それら各バルコニー床梁３３，３４の間に架け渡されて設けられた複数のバルコニー床梁３５とが含まれている。これら各バルコニー床梁３３〜３５はいずれもＨ形鋼からなり、集合住宅１０において建物躯体の一部を構成している。なお、バルコニー床部３１が「床部」に相当する。
【００３１】
バルコニー床梁３５は、各隔て板２６の下方詳しくは真下に配置され、隔て板２６の幅方向（板幅方向）に沿って延びている。バルコニー床梁３５は、その一端部がバルコニー床梁３３に連結金具３７を介して固定され、その他端部がバルコニー床梁３４に連結金具３７を介して固定されている。
【００３２】
各バルコニー床梁３３〜３５の上にはＡＬＣ床からなる床下地材３８が設置されている。床下地材３８上には発砲ポリスチレン樹脂等からなる床断熱材３９が敷設され、その床断熱材３９上には耐水皮膜（例えば塩化ビニル膜）が施された鋼板よりなる防水板４１が敷設されている（図３も参照）。この防水板４１によりバルコニー床部３１の防水層が形成されている。また、この防水板４１によりバルコニー２０の床面が形成されている。
【００３３】
バルコニー天井部３２は、複数のバルコニー天井梁４３〜４５を備えている。これらバルコニー天井梁４３〜４５には、外壁部２１の上方で外壁部２１に沿って延びるバルコニー天井梁４３と、腰壁部２４の上方で腰壁部２４に沿って延びるバルコニー天井梁４４と、それら各バルコニー天井梁４３，４４の間に架け渡されて設けられた複数のバルコニー天井梁４５とが含まれている。これら各バルコニー天井梁４３〜４５はいずれもＨ形鋼からなり、集合住宅１０において建物躯体の一部を構成している。なお、バルコニー天井部３２が「天井部」に相当する。
【００３４】
バルコニー天井梁４５は、各隔て板２６の上方詳しくは真上に配置され、隔て板２６の幅方向（板幅方向）に沿って延びている。バルコニー天井梁４５は、その一端部がバルコニー天井梁４３に連結金具３７を介して固定され、その他端部がバルコニー天井梁４４に連結金具３７を介して固定されている。
【００３５】
各バルコニー天井梁４５とバルコニー天井梁４４とには、その下面側に野縁４６が取り付けられている。野縁４６は木製の角材からなり、取付金具４７（図６参照）を介して各バルコニー天井梁４４，４５に取り付けられている。野縁４６は、バルコニー天井梁４５の長手方向と直交する方向（換言すると隔て板２６の厚み方向）に延びており、上記長手方向に所定の間隔で複数配置されている。また、これら野縁４６の下面には天井面材４８が固定されている。この天井面材４８によりバルコニー２０の天井面が形成されている。
【００３６】
外壁部２１は、バルコニー床部３１とバルコニー天井部３２とに跨がるように設けられている。外壁部２１は、バルコニー２０に面して設けられた外壁面材５１と、住戸内空間１１ａ（屋内空間）に面して設けられた内壁面材５２と、それら外壁面材５１及び内壁面材５２の間に設けられた壁内断熱材５３とを有している。外壁面材５１は耐火性能等に優れたＡＬＣ（軽量気泡コンクリート）からなり、内壁面材５２は耐火性能等に優れた石膏ボードからなる。また、壁内断熱材５３は、断熱性能等に優れたグラスウールからなる。
【００３７】
隔て板２６を挟んで外壁部２１とは反対側には腰壁部２４が設けられている。腰壁部２４は、その外面側（屋外側）に設けられた外側壁面材５５と、その内面側（バルコニー２０側）に設けられた内側壁面材５６と、それら各壁面材５５，５６の上端部を覆うように設けられた笠木５７とを有している。笠木５７は、腰壁部２４の壁幅方向に延びており、その上部に手摺り部５７ａを有している。
【００３８】
次に、バルコニー２０における隔て板２６の設置構造について説明する。
【００３９】
隔て板２６は、上下方向に長い長方形状をなしており、矩形枠状のフレーム部６１と、そのフレーム部６１の内部に組み込まれた板材６２とを有して構成されている。フレーム部６１は、軽量鉄骨材からなる縦桟６１ａ及び横桟６１ｂ〜６１ｄを有している。縦桟６１ａは互いに離間して一対設けられ、それら各縦桟６１ａに複数の横桟６１ｂ〜６１ｄが架け渡されることでフレーム部６１が構成されている。また、複数の横桟６１ｂ〜６１ｄには、各縦桟６１ａの下端部の間に架け渡された下桟６１ｂと、各縦桟６１ａの上端部の間に架け渡された上桟６１ｃと、各縦桟６１ａの中間部の間に架け渡された中間桟６１ｄとが含まれている。また、板材６２は不燃性を有するケイカル板（珪酸カルシウム板）からなる。
【００４０】
ここで、本実施形態では、隔て板２６が、その下端部においてバルコニー床部３１に固定され、その上端部においてバルコニー天井部３２に固定されている。そして、かかる固定状態で、隔て板２６がバルコニー２０において設置されている。本実施形態では、かかる隔て板２６の設置構造に特徴を有しており、以下においては、その設置構造について説明する。
【００４１】
まず、バルコニー床部３１に対する隔て板２６の固定構成について図３に基づいて説明する。図３は、バルコニー床部３１に対する隔て板２６の固定構成を示す縦断面図である。図３に示すように、隔て板２６は、その下端部がバルコニー床部３１に下側取付具６５を介して固定されている。下側取付具６５は、バルコニー床梁３５（詳しくはその上フランジ）の上面に固定された支柱部６６と、支柱部６６の上面に固定された取付プレート６７と、取付プレート６７の上面に固定され隔て板２６が取り付けられる下側取付金物６８とを有する。
【００４２】
図４は、支柱部６６及び取付プレート６７の構成を示す分解斜視図である。以下、図３に加え、この図４を参照しながら下側取付具６５の構成について説明する。図３及び図４に示すように、支柱部６６は、バルコニー床梁３５の上面に固定された下側支柱部７１と、その下側支柱部７１の上側に固定された上側支柱部７２とを有する。下側支柱部７１は、短尺のＨ形鋼からなり、上下方向に延びるウェブ７１ａと、そのウェブ７１ａを挟んで上下両側に設けられた上フランジ７１ｂ及び下フランジ７１ｃを有している。この場合、下側支柱部７１には、ウェブ７１ａを挟んだ両側にそれぞれ側方に開口する一対の溝部７１ｄが設けられている。下側支柱部７１には、それら各溝部７１ｄに上フランジ７１ｂ及び下フランジ７１ｃに跨がる状態で補強板７４が配設され、その補強板７４は各フランジ７１ｂ，７１ｃにそれぞれ溶接により固定されている。
【００４３】
上側支柱部７２は、上下方向に延びる筒状（詳しくは円筒状）の筒状部７２ａと、その筒状部７２ａの上端開口を塞ぐように設けられる円板状の蓋部７２ｂとを有する。筒状部７２ａと蓋部７２ｂとはいずれも金属製であり、溶接により互いに固定され一体化されている。また、上側支柱部７２（筒状部７２ａ）は、その下端部が下側支柱部７１の上面（詳しくは上フランジ７１ｂの上面）に溶接により固定されている。これにより、上側支柱部７２と下側支柱部７１とは互いに一体化され、それにより支柱部６６が構成されている。
【００４４】
バルコニー床部３１において、床下地材３８と床断熱材３９と防水板４１とには支柱部６６を挿通するための挿通孔８４〜８６が形成されている。支柱部６６は、これら挿通孔８４〜８６に挿通された状態でバルコニー床梁３５上に設けられている。この場合、支柱部６６は、その一部が防水板４１よりも上方に突出した状態で配置されている。
【００４５】
なお、本実施形態では、床下地材３８と床断熱材３９と防水板４１とにより床下地層が形成され、その床下地層がバルコニー床梁３３〜３５により支持されている。そして、その床下地層に当該床下地層を貫通する挿通孔（挿通孔８４〜８６）が形成されている。また、床下地層には、防水板４１からなる防水層が含まれている。
【００４６】
支柱部６６の設置構成について詳しく説明すると、各挿通孔８４〜８６のうち、床下地材３８に設けられた挿通孔８４には支柱部６６の下側支柱部７１が挿通され、床断熱材３９に設けられた挿通孔８５と防水板４１に設けられた挿通孔８６とには上側支柱部７２が挿通されている。下側支柱部７１は、その下フランジ７１ｃがバルコニー床梁３５の上フランジ３５ａの上面に載置され、その載置状態で下フランジ７１ｃがボルト７７及びナット７８を用いて上フランジ３５ａに固定されている。詳しくは、下側支柱部７１の下フランジ７１ｃにはボルト７７を挿通可能な孔部８１が形成され、バルコニー床梁３５の上フランジ３５ａにも同様に、ボルト７７を挿通可能な孔部８２が形成されている。そして、ボルト７７がこれら各孔部８１，８２にそれぞれ挿通された状態でナット７８と締結されている。
【００４７】
下側支柱部７１は、その高さ寸法が床下地材３８の厚み寸法と同じとされ、その（詳しくは上フランジ７１ｂの）上面が床下地材３８の上面と同じ高さ位置に設定されている。この場合、床下地材３８上に設けられた床断熱材３９は、その支柱部６６（換言すると挿通孔８５）の周囲部分が下側支柱部７１の上面における上側支柱部７２の外側領域に載置された状態で設けられている。これにより、支柱部６６が床下地層（３８，３９，４１）の挿通孔８４〜８６に挿通された状態で配置される構成にあって、床下地層を安定した状態で敷設することが可能となる。
【００４８】
上側支柱部７２は、床断熱材３９及び防水板４１の各挿通孔８５，８６に挿通された状態で、その一部が防水板４１よりも上方に突出している。この場合、各挿通孔８５，８６はいずれも円形状をなしており、その内径が上側支柱部７２の外径と同じとされている。そして、上側支柱部７２は、その外周部が各挿通孔８５，８６の内周面に密着されている。これにより、防水板４１上から各挿通孔８５，８６を通じて雨水等の水がバルコニー２０下に入り込むことが防止されている。また、図示は省略するが、防水板４１上において上側支柱部７２の外周部には挿通孔８５，８６への水を入り込みを防止する防水処理（コーキング材や防水シート等を用いた防水処理）が施されている。
【００４９】
なお、床下地材３８の挿通孔８４は、平面視の大きさが床断熱材３９及び防水板４１の各挿通孔８５，８６よりも大きくされ、また下側支柱部７１よりも大きくされている。したがって、下側支柱部７１と挿通孔８４との間には所定の隙間が形成されている。また、挿通孔８４の形状は、円形状であっても矩形形状であってもよい。
【００５０】
上側支柱部７２（支柱部６６）の上面側には取付プレート６７が固定されている。取付プレート６７は、平板状の鋼板により略長方形状に形成され、詳しくはその４隅が面取り加工されている。取付プレート６７は、その長手方向を隔て板２６の幅方向に向けた状態で上側支柱部７２の蓋部７２ｂ上にボルト９１を用いて固定されている。
【００５１】
詳しくは、取付プレート６７には、その長手方向の中央部に矩形の孔部８７が形成されている。また、取付プレート６７には、その下面に孔部８７を塞ぐようにして矩形の鋼製プレート８８が溶接固定され、このプレート８８には複数の孔部８９が形成されている。そして、上側支柱部７２の蓋部７２ｂには各孔部８９に対応させて複数のねじ孔部９２が形成されている。かかる構成にあって、取付プレート６７は、そのプレート８８が蓋部７２ｂ上に載置され、その載置状態でボルト９１がプレート８８の孔部８９を介して蓋部７２ｂのねじ孔部９２にねじ込まれている。これにより、取付プレート６７が上側支柱部７２の上面側にボルト９１を用いて固定されている。
【００５２】
取付プレート６７の上面には下側取付金物６８が固定されている。図５は、下側取付金物６８に隔て板２６が取り付けられる様子を示す斜視図である。以下、図３に加え図５を用いながら下側取付金物６８の構成について説明する。
【００５３】
図３及び図５に示すように、下側取付金物６８は、鋼板により断面コ字状に形成され、その溝部６９を上方に開口させた状態で取付プレート６７の上面に固定されている。下側取付金物６８は、隔て板２６の幅方向に延びるように形成され、その長さが隔て板２６の幅（横幅）の半分以下、詳しくは隔て板２６の幅の１／３以下とされている（図２参照）。
【００５４】
下側取付金物６８は、取付プレート６７の上面にボルト９４及びナット９５を用いて固定された固定板部６８ａと、その固定板部６８ａの幅方向の両端部からそれぞれ上方に延びる一対の側板部６８ｂとを有する。この場合、固定板部６８ａと各側板部６８ｂとにより囲まれた内側が溝部６９となっている。固定板部６８ａにはボルト９４を挿通する挿通孔（図示略）が複数（具体的には２つ）形成され、これと同様に、取付プレート６７にはボルト９４を挿通する挿通孔９９が複数（具体的には２つ）形成されている。そして、これら各挿通孔９９にボルト９４が挿通され、そのボルト９４がナット９５と締結されている。これにより、固定板部６８ａひいては下側取付金物６８が取付プレート６７に固定されている。
【００５５】
下側取付金物６８には、その溝部６９に上方から隔て板２６の下端部、詳しくはフレーム部６１の下桟６１ｂが挿し入れられており、その状態で下桟６１ｂが下側取付金物６８に固定されている。下桟６１ｂは、その幅が下側取付金物６８の溝部６９の幅と同じか又はそれよりも若干小さくされている。下桟６１ｂは、下側取付金物６８の各側板部６８ｂにビス９７により固定されている。詳しくは、各側板部６８ｂには、下側取付金物６８の長手方向に所定間隔で複数（具体的には３つ）のビス孔９８が設けられている。そして、それらビス孔９８にビス９７が挿通された状態で下桟６１ｂにねじ込まれている。なお、各ビス孔９８は上下に長い長孔形状とされている。また、ビス９７に代えて、釘やボルト等、他の固定具を用いてもよい。
【００５６】
隔て板２６が下側取付金物６８に固定された状態で、下側取付金物６８は、隔て板２６においてその幅方向の中央部を含む位置に配置されている（図２参照）。詳しくは、下側取付金物６８は、隔て板２６においてその幅方向における外壁部２１寄りの位置に配置されている。
【００５７】
続いて、バルコニー天井部３２に対する隔て板２６の固定構成について図６に基づいて説明する。図６は、バルコニー天井部３２に対する隔て板２６の固定構成を示す縦断面図である。
【００５８】
図６に示すように、隔て板２６は、その上端部がバルコニー天井部３２に上側取付金物７５を介して固定されている。バルコニー天井部３２には、上述したように、天井面材４８を上方から支持するとともに隔て板２６の厚み方向に延びる複数の野縁４６が設けられている。これら複数の野縁４６には、互いに近接させて配置された一対の野縁４６ａが含まれている。これら一対の野縁４６ａは、互いの間隔が野縁４６ａの幅寸法と略同じ大きさに設定されている。なお、これら各野縁４６ａが近接野縁に相当する。
【００５９】
ここで、各野縁４６ａが近接させて配置されているとは、各野縁４６ａの間の間隔が野縁４６ａの幅の２倍以下の大きさとなっていることである。各野縁４６ａが近接配置されていれば、各野縁４６ａの間の間隔は必ずしも野縁４６ａの幅と同じである必要はなく、野縁４６ａの幅より大きくしてもよい。
【００６０】
各野縁４６ａは、複数のバルコニー天井梁４５に跨がって延びており、それら各バルコニー天井梁４５（詳しくはその下フランジ）の下面側に取付金具４７を介して取り付けられている。取付金具４７はＬ字型の鋼板からなり、バルコニー天井梁４５の下面に吊りボルト１０１を用いて固定された水平板部４７ａと、その水平板部４７ａから下向きに延び野縁４６ａの側面にビス１０２により固定された鉛直板部４７ｂとを有する。なお、各吊りボルト１０１は、各野縁４６ａを挟んだ両側に配置されている。
【００６１】
各野縁４６ａの下面には、天井面材４８がビス１０３により固定されている。そして、この天井面材４８の下面側には上側取付金物７５が固定されている。以下においては、図６に加え図７を用いながら上側取付金物７５に関する構成を説明する。図７は、上側取付金物７５に隔て板２６が取り付けられる様子を示す斜視図である。
【００６２】
図６及び図７に示すように、上側取付金物７５は、鋼板により断面Ｌ字状に形成されている。上側取付金物７５は、隔て板２６の幅方向に延びるように形成され、その長さが隔て板２６の幅（横幅）の半分以下、詳しくは隔て板２６の幅の１／３以下とされている（図２参照）。本実施形態では、上側取付金物７５の長さが下側取付金物６８の長さと同じとされている。なお、上側取付金物７５が上側取付具に相当する。
【００６３】
上側取付金物７５は、天井面材４８の下面において各野縁４６ａに跨がるようにして配置され、その配置状態で各野縁４６ａに天井面材４８を介してビス１０３により固定されている。したがって、上側取付金物７５は、天井面材４８とともに共通のビス１０３により各野縁４６ａに固定されている。詳しくは、上側取付金物７５は、天井面材４８の下面に設けられ各野縁４６ａにビス１０３により固定された固定板部７５ａと、固定板部７５ａから下方に延びる側板部７５ｂとを有する。なお、ビス１０３に代えて、釘やボルト等、他の固定具を用いてもよい。
【００６４】
上側取付金物７５の側板部７５ｂには、隔て板２６の上端部、詳しくはフレーム部６１の上桟６１ｃがビス１０４により固定されている。側板部７５ｂには、上側取付金物７５の長手方向に所定の間隔で複数（具体的には３つ）のビス孔１０５が設けられ、それらビス孔１０５にビス１０４が挿通された状態で上桟６１ｃにねじ込まれている。なお、各ビス孔１０５は上下に長い長孔形状とされている。また、ビス１０４に代えて、釘やボルト等、他の固定具を用いてもよい。
【００６５】
隔て板２６が上側取付金物７５に固定された状態で、上側取付金物７５は、隔て板２６においてその幅方向の中央部を含む位置に配置されている（図２参照）。詳しくは、上側取付金物７５は、隔て板２６においてその幅方向における外壁部２１寄りの位置に配置されている。また、本実施形態では、上側取付金物７５が、隔て板２６の幅方向において下側取付金物６８と同じ位置に配置されている。
【００６６】
以上説明したように、隔て板２６は、その下端部が下側取付具６５を介してバルコニー床部３１に固定され、その上端部が上側取付金物７５を介してバルコニー天井部３２に固定されている。そして、隔て板２６は、かかる固定状態でバルコニー２０に設置されている。詳しくは、隔て板２６は、その幅方向の両端部が外壁部２１及び腰壁部２４に固定されてはおらず、そのため、隔て板２６は、その上端部及び下端部のみがそれぞれバルコニー床部３１及びバルコニー天井部３２に固定されている。より詳しくは、隔て板２６の下端部には下側取付具６５（下側取付金物６８）が１つしか設けられておらず、隔て板２６の上端部には上側取付金物７５が１つしか設けられていない。そのため、隔て板２６は、それら１つずつの下側取付具６５及び上側取付金物７５を介してバルコニー床部３１及びバルコニー天井部３２に固定されている。
【００６７】
続いて、隔て板２６をバルコニー２０に設置する際の作業手順について簡単に説明する。なお、隔て板２６をバルコニー２０に設置するに際しては、あらかじめ下側取付具６５をバルコニー床部３１に固定しておくとともに、上側取付金物７５をバルコニー天井部３２に固定しておく。
【００６８】
隔て板２６をバルコニー２０に設置する際には、まず隔て板２６の下桟６１ｂを下側取付具６５の下側取付金物６８の溝部６９に挿し入れる（図５参照）。これにより、隔て板２６の厚み方向（換言するとバルコニー２０の長手方向）の位置決めがなされる。次に、隔て板２６の下桟６１ｂを溝部６９に挿し入れた状態で、隔て板２６を幅方向において位置調整する。この場合、隔て板２６と外壁部２１との間隔（クリアランス）、及び隔て板２６と腰壁部２４との間隔（クリアランス）が所定の間隔となるように、位置調整を行う。
【００６９】
隔て板２６の位置調整が終了した後、下桟６１ｂを下側取付金物６８にビス９７により固定する。これにより、隔て板２６の下端部が下側取付具６５を介してバルコニー床部３１に固定される。
【００７０】
次に、隔て板２６の上桟６１ｃを上側取付金物７５にビス１０４により固定する。これにより、隔て板２６の上端部が上側取付金物７５を介してバルコニー天井部３２に固定される。以上により、隔て板２６の設置作業が完了する。
【００７１】
以上、詳述した本実施形態の構成によれば、以下の優れた効果が得られる。
【００７２】
隔て板２６を、その下端部においてバルコニー床部３１に固定し、その上端部においてバルコニー天井部３２に固定することで設置した。この場合、隔て板２６が上下の端部でそれぞれ固定されるため、固定箇所を少なくしても安定した状態で隔て板２６を設置することが可能となる。これにより、隔て板２６の設置作業について工数低減を図ることが可能となる。
【００７３】
隔て板２６の下端部を下側取付具６５を介してバルコニー床部３１に固定し、隔て板２６の上端部を上側取付金物７５を介してバルコニー天井部３２に固定した。また、かかる構成にあって、下側取付具６５及び上側取付金物７５をそれぞれ１つだけ設けた。この場合、隔て板２６が下側取付具６５及び上側取付金物７５（上側取付具に相当）を介してバルコニー床部３１及びバルコニー天井部３２に固定される構成にあって、取付具６５，７５の固定箇所及び隔て板２６の固定箇所を少なくすることができるため、隔て板２６の設置作業について工数低減を図ることができる。また、各取付具６５，７５が１つずつしか設けられていないものの、隔て板２６の上下端部で固定される構成となっているため、隔て板２６を安定した状態で設置することができる。
【００７４】
下側取付具６５の下側取付金物６８に隔て板２６の下端部が挿し入れられる溝部６９を設けた。この場合、上述したように、隔て板２６の設置に際し、溝部６９に隔て板２６の下端部を挿し入れることで隔て板２６の厚み方向への位置決めを行うことができるとともに、隔て板２６の幅方向の位置調整を行うことが可能となる。よって、この場合、隔て板２６の設置作業を容易にすることが可能となる。
【００７５】
下側取付金物６８及び上側取付金物７５をいずれも隔て板２６における幅方向の中央部を含む位置に配置したため、上下にそれぞれ１つだけ取付金物６８，７５が設けられる構成にあって、それら各取付金物６８，７５に隔て板２６を安定した状態で取り付けることができる。
【００７６】
また、詳しくは、各取付金物６８，７５を隔て板２６において外壁部２１寄りに配置したため、隔て板２６がバルコニー２０において外壁部２１に沿って吹く風を受けた場合に、その風に対する抵抗力を高めることができる。この場合、かかる風により隔て板２６が各取付金物６８，７５を軸として回転してしまうといった事態が生じるのを抑制することができるため、隔て板２６をより安定した状態で設置することが可能となる。
【００７７】
天井面材４８を支持する複数の野縁４６のうち、２つ（一対）の野縁４６ａを互いに近接させて配置し、それら各野縁４６ａに天井面材４８を介して上側取付金物７５を固定した。この場合、天井面材４８の下地である野縁４６を利用して上側取付金物７５を固定することができるため、上側取付金物７５を固定するための固定下地を別途設ける必要がなく、構成の簡素化等を図りながら上側取付金物７５をバルコニー天井部３２に固定することができる。
【００７８】
隔て板２６の下端部を下側取付具６５を介してバルコニー床梁３５に固定し、隔て板２６の上端部を上側取付金物７５を介して（詳しくは、さらに天井面材４８や野縁４６ａ等を介して）バルコニー天井梁４５に固定した。この場合、隔て板２６が、建物躯体の一部を構成するバルコニー床梁３５及びバルコニー天井梁４５に固定されているため、隔て板２６を安定した状態で設置することができる。
【００７９】
隔て板２６の幅方向において当該隔て板２６を挟んで両側に配置した外壁部２１の外壁面材５１及び腰壁部２４の内側壁面材５６のうち、外壁面材５１をＡＬＣ（軽量気泡コンクリート）により形成した。ＡＬＣは耐火性能等に優れる反面、脆い性質を有している。そのため、ＡＬＣ製の外壁面材５１に隔て板２６を固定する場合、外壁面材５１に割れが生じる等、破損のおそれがある。その点、隔て板２６をバルコニー床部３１及びバルコニー天井部３２に固定するようにした上記実施形態の構成によれば、かかる外壁面材５１に破損が生じるのを回避しながら、隔て板２６を設置することが可能となる。なお、この場合、外壁面材５１及び内側壁面材５６がそれぞれ「壁材」に相当する。
【００８０】
本発明は上記実施形態に限らず、例えば次のように実施されてもよい。
【００８１】
（１）上側取付金物７５の構成は必ずしも上記実施形態のものに限定されない。例えば図８（ａ）に示すように、上側取付具１１０を断面コ字状に形成してもよい。図８（ａ）の例では、バルコニー天井部１１１において天井面材４８の上方に隔て板２６の幅方向に延びる下地材１１２が設けられている。この下地材１１２は、例えば角形鋼管よりなり、野縁４６とは別で設けられている。かかる構成において、上側取付具１１０は、その溝部１１０ａを下方に向けた状態で、下地材１１２に天井面材４８を介してビス１１３により固定されている。そして、この上側取付具１１０の溝部１１０ａに隔て板２６の上桟６１ｃが挿し入れられた状態で、当該上桟６１ｃが上側取付具１１０にビス１１４により固定されている。この場合、上桟６１ｃをより強固に固定することが可能となる。
【００８２】
図８（ｂ）に示す例では、上側取付金物１１６が、下地材１１２に固定される固定板部１１６ａと、その固定板部１１６ａの幅方向の両端部から下方に延びる一対の鉛直板部１１６ｂと、それら各鉛直板部１１６ｂの下端部から互いに離間する側に延びる一対の水平板部１１６ｃとを有している。そして、隔て板２６の上桟６１ｃが、各水平板部１１６ｃの下面にビス１１７により固定されている。この場合にも、隔て板２６の上端部を上側取付金物１１６を介してバルコニー天井部１１１に固定することができる。
【００８３】
図８（ｃ）に示す例では、上側取付金物１１８が、アルミによる押し出し成形により形成されている。図８（ｃ）の例では、天井面材４８に隔て板２６の幅方向に延びるスリット状の孔部１１９が形成されている。そして、その孔部１１９に上側取付金物１１８が挿入された状態で、当該上側取付金物１１８がバルコニー天井梁４５に吊りボルト１２１を介して固定されている。また、上側取付金物１１８は、孔部１１９よりも下方に延びる垂下板部１１８ａを有し、その垂下板部１１８ａに隔て板２６の上桟６１ｃがビス１２２により固定されている。この場合、隔て板２６の上端部を上側取付金物１１８を介してバルコニー天井梁４５に固定することが可能となる。
【００８４】
（２）下側取付金物６８の構成は必ずしも上記実施形態のものに限定されない。例えば、図９（ａ）に示すように、下側取付金物１２４を断面Ｌ字状に形成してもよい。また、図９（ｂ）に示す下側取付金物１２６は、取付プレート６７の上面に固定された固定板部１２６ａと、固定板部１２６ａの幅方向の両端部から上方に延びる一対の鉛直板部１２６ｂと、それら各鉛直板部１２６ｂの上端部から互いに離間する側に延びる一対の水平板部１２６ｃとを有している。そして、隔て板２６の下桟６１ｂが各水平板部１２６ｃの上面にビス１２７により固定されている。
【００８５】
（３）上記実施形態では、隔て板２６の下端部を下側取付具６５を介してバルコニー床部３１に固定したが、隔て板２６の下端部を下側取付具６５を介さずにバルコニー床部３１に直接固定するようにしてもよい。例えば、隔て板２６の下端部（下桟６１ｂ）をバルコニー床部３１（防水板４１）の上に載置した状態で、下桟６１ｂをバルコニー床部３１（例えば防水板４１や床下地材３８）にビス等により固定することが考えられる。この場合、下側取付具６５を設けなくてよい分、構成の簡素化を図る等の利点を得ることができる。
【００８６】
また、上記実施形態では、隔て板２６の上端部を上側取付金物７５（上側取付具に相当）を介してバルコニー天井部３２に固定したが、隔て板２６の上端部を上側取付金物７５を介さずにバルコニー天井部３２に直接固定するようにしてもよい。例えば、隔て板２６の上端部（上桟６１ｃ）を天井面材４８の下面に当接させた状態で、上桟６１ｃをバルコニー天井部３２（例えば野縁４６ａ）にビス等により固定することが考えられる。この場合、上側取付金物７５を設けなくてよい分、構成の簡素化を図る等の利点を得ることができる。
【００８７】
（４）上記実施形態では、隔て板２６の下端部をバルコニー床部３１に固定する下側取付具６５を１つだけ設けたが、かかる下側取付具６５を２つ以上設けてもよい。また、上記実施形態では、隔て板２６の上端部をバルコニー天井部３２に固定する上側取付金物７５を１つだけ設けたが、かかる上側取付金物７５を２つ以上設けるようにしてもよい。但し、これらの場合、隔て板２６の固定箇所が増大して隔て板２６の設置工数増大を招くおそれがある。したがって、その点を鑑みると、下側取付具６５と上側取付金物７５とはそれぞれ１つずつ設けるのが望ましい。
【００８８】
（５）例えば、バルコニー天井梁４５の下面に下方へ延びる支柱部を固定し、その支柱部の下端部に上側取付金物７５を固定するようにしてもよい。この場合、天井面材４８に、支柱部を挿通させる孔部を形成し、その孔部を通じて支柱部を配設することが考えられる。そして、天井面材４８の下方にて上側取付金物７５を支柱部に固定することが考えられる。なお、この場合、上側取付金物７５及び支柱部により「上側取付具」が構成される。
【００８９】
（６）上記実施形態では、隔て板２６の幅方向の両側に配置される（外壁部２１の）外壁面材５１及び（腰壁部２４の）内側壁面材５６のうち、外壁面材５１をＡＬＣ製としたが、これに代えて又は加えて、内側壁面材５６をＡＬＣ製としてもよい。この場合にも、内側壁面材５６が破損するのを回避しながら、隔て板２６を設置することが可能となる。
【００９０】
（７）腰壁部２４として、その壁幅方向に所定の間隔で立設される複数の支柱と、それら支柱に跨がって設けられる壁面材とを有して構成されるものがある。ここで、かかる腰壁部が設けられたバルコニー２０に隔て板２６を幅方向の両端部で固定する場合、すなわち隔て板２６の幅方向の両端部を腰壁部２４及び外壁部２１に固定する構成とする場合、腰壁部２４に対してはその支柱に固定することになると考えられる。そのため、かかる場合には、腰壁部２４の支柱を隔て板２６の幅方向に隣接して配置する必要があり、さらには、その関係で壁面材の割り付けを考慮する必要が生じうる。その点、隔て板２６を、その上下の端部でバルコニー床部３１及びバルコニー天井部３２に固定するようにした本発明の構成によれば、かかる割り付けの配慮等をしなくてもよいという利点も得ることができる。
【００９１】
なお、手摺部は必ずしも腰壁部２４（壁状）とする必要はなく、例えば手摺部を、その長手方向に所定の間隔で立設された手摺支柱と、それら手摺支柱に跨がって延びる手摺棒とを有する構成としてもよい。
【００９２】
（８）上記実施形態では、集合住宅１０としてアパートを想定し、そのアパートに本発明を適用したが、マンション等、アパート以外の集合住宅に本発明を適用してもよい。
【符号の説明】
【００９３】
１０…集合住宅、１１…住戸、２０…バルコニー、２１…外壁部、２４…手摺部としての腰壁部、２６…隔て板、３１…床部としてのバルコニー床部、３２…天井部としてのバルコニー天井部、３５…床梁としてのバルコニー床梁、４５…天井梁としてのバルコニー天井梁、４６…野縁、４６ａ…近接野縁としての野縁、４８…天井面材、５１…壁材としての外壁面材、５６…壁材としての内側壁面材、６５…下側取付具、６８…下側取付金物、６９…溝部、７５…上側取付具としての上側取付金物。
【図１】
2019183517.tif 000003
【図２】
2019183517.tif 000004
【図３】
2019183517.tif 000005
【図４】
2019183517.tif 000006
【図５】
2019183517.tif 000007
【図６】
2019183517.tif 000008
【図７】
2019183517.tif 000009
【図８】
2019183517.tif 000010
【図９】
2019183517.tif 000011